(57)【要約】      （修正有）【課題】ビーコンを用いた位置情報サービス提供システムのセキュリティを向上する。【解決手段】位置サービス利用装置３０は、個々の位置サービス利用装置３０に一意に与えられた利用装置ＩＤを記憶する利用装置ＩＤ記憶部と、位置サービス提供装置２０にビーコンＩＤの生成と送信を要求し、位置サービス提供装置２０から送信される、生成されたビーコンＩＤを受信するビーコンＩＤ要求部と、この受信したビーコンＩＤを、ビーコンＩＤ発信装置４０に設定するビーコンＩＤ設定部とを備える。位置サービス提供装置２０は、位置サービス利用装置３０からの要求によりビーコンＩＤを生成し、受信した利用装置ＩＤと生成したビーコンＩＤとを対応付けたＩＤ対応表をＩＤ対応表記憶部に記憶させ、生成したビーコンＩＤを位置サービス利用装置３０へ提供するビーコンＩＤ生成部とを備える。【選択図】図１
2017017550.tif 000002
【特許請求の範囲】
【請求項１】
位置サービス提供装置と、位置サービス利用装置と、ビーコンＩＤ発信装置と、を備える位置情報サービス提供システムであって、
前記位置サービス利用装置は、
当該位置サービス利用装置の利用装置ＩＤを記憶する、利用装置ＩＤ記憶部と、
前記位置サービス提供装置にビーコンＩＤの生成を要求するとともに、前記位置サービス提供装置に前記利用装置ＩＤを送信し、前記位置サービス提供装置から前記ビーコンＩＤを取得する、ビーコンＩＤ要求部と、
前記位置サービス提供装置から取得した前記ビーコンＩＤを、前記ビーコンＩＤ発信装置に設定する、ビーコンＩＤ設定部と、を備え、
前記位置サービス提供装置は、
前記利用装置ＩＤと前記ビーコンＩＤとを対応付けたＩＤ対応表を記憶するＩＤ対応表記憶部と、
前記位置サービス利用装置からの要求により、前記ビーコンＩＤを生成し、受信した前記利用装置ＩＤと生成した前記ビーコンＩＤとを対応付けた前記ＩＤ対応表を前記ＩＤ対応表記憶部に記憶させ、前記ビーコンＩＤを前記位置サービス利用装置へ提供するビーコンＩＤ生成部と、を備え、
前記ビーコンＩＤ発信装置は、
前記ビーコンＩＤを記憶するビーコンＩＤ記憶部と、
前記ビーコンＩＤ記憶部に記憶されている前記ビーコンＩＤを、前記位置サービス利用装置が指定する前記ビーコンＩＤに変更する、ビーコンＩＤ変更部と、
前記ビーコンＩＤ記憶部に記憶された前記ビーコンＩＤを発信するビーコンＩＤ発信部と、を備える、
ことを特徴とする位置情報サービス提供システム。
【請求項２】
前記位置情報サービス提供システムは、ビーコンＩＤ受信装置をさらに備え、
前記ビーコンＩＤ受信装置は、
当該ビーコンＩＤ受信装置の受信装置ＩＤを記憶する、受信装置ＩＤ記憶部と、
前記ビーコンＩＤ発信装置が発信する前記ビーコンＩＤを受信する、ビーコンＩＤ受信部と、
前記ビーコンＩＤ受信部が受信した前記ビーコンＩＤ、及び、前記受信装置ＩＤ記憶部に記憶された前記受信装置ＩＤを、前記位置サービス提供装置へ通知をする、ビーコンＩＤ通知部と、を備え、
前記位置サービス提供装置は、
前記ビーコンＩＤ受信装置からの前記ビーコンＩＤ、及び、前記受信装置ＩＤを受信する、通知受信部と、
前記受信装置ＩＤと、前記ビーコンＩＤ受信装置の設置されている位置情報とを対応付けて記憶する、受信装置位置記憶部と、
前記通知受信部が受信した前記ビーコンＩＤと対応付けられた前記利用装置ＩＤを前記ＩＤ対応表記憶部に記憶された前記ＩＤ対応表から抽出し、前記通知受信部が受信した前記受信装置ＩＤの設置されている位置情報を受信装置位置記憶部から抽出し、前記抽出した利用装置ＩＤと前記抽出した位置情報とに基づいて前記位置サービス利用装置に位置情報サービスを提供する、位置サービス提供部と、を備える、
ことを特徴とする請求項１に記載の位置情報サービス提供システム。
【請求項３】
前記位置サービス提供装置は、
前記ビーコンＩＤ生成部が生成するビーコンＩＤが前記位置サービス提供装置で生成されたことを証明するビーコンＩＤ証明書を発行する証明書生成部をさらに備え、
前記ビーコンＩＤ生成部は、生成した前記ビーコンＩＤとともに、前記ビーコンＩＤ証明書を前記位置サービス利用装置に提供する、
ことを特徴とする請求項１又は２に記載の位置情報サービス提供システム。
【請求項４】
前記位置サービス利用装置の前記ビーコンＩＤ設定部は、前記ビーコンＩＤ証明書を前記ビーコンＩＤとともに前記ビーコンＩＤ発信装置へ送信し、
前記ビーコンＩＤ発信装置の前記ビーコンＩＤ変更部は、前記ビーコンＩＤ証明書が信頼できる発行元から発行されているか否かを判断し、信頼できる場合には、前記ビーコンＩＤ記憶部に記憶されている前記ビーコンＩＤを、前記位置サービス利用装置が送信する前記ビーコンＩＤに変更するが、信頼できない場合には、前記ビーコンＩＤ記憶部に記憶されている前記ビーコンＩＤを、前記位置サービス利用装置が送信する前記ビーコンＩＤに変更しない、
ことを特徴とする請求項３に記載の位置情報サービス提供システム。
【請求項５】
前記位置サービス利用装置の前記ビーコンＩＤ設定部は、前記ビーコンＩＤ証明書が信頼できる発行元から発行されているか否かを判断し、信頼できる場合には、前記ビーコンＩＤを前記ビーコンＩＤ発信装置に設定するが、信頼できない場合には、前記ビーコンＩＤを前記ビーコンＩＤ発信装置に設定しない、
ことを特徴とする請求項３に記載の位置情報サービス提供システム。
【請求項６】
前記位置サービス提供装置は、
前記ＩＤ対応表記憶部の前記ＩＤ対応表に記憶された前記利用装置ＩＤと前記ビーコンＩＤとの対応付けをするＩＤ対応表を所定の時間で破棄し、前記利用装置ＩＤと前記ビーコンＩＤとの対応付けを無効にする、ＩＤ対応表破棄部をさらに備える、
ことを特徴とする請求項１乃至５のいずれかに記載の位置情報サービス提供システム。
【請求項７】
位置サービス提供装置と、位置サービス利用装置と、ビーコンＩＤ発信装置とを備える位置情報サービス提供システムの制御方法であって、
前記位置サービス利用装置から前記位置サービス提供装置に、ビーコンＩＤを生成する要求と、当該位置サービス利用装置が記憶する利用装置ＩＤとを送信するステップと、
前記位置サービス提供装置が、前記位置サービス利用装置からの要求により、前記ビーコンＩＤを生成して、前記位置サービス利用装置に提供するとともに、受信した前記利用装置ＩＤと生成した前記ビーコンＩＤとを対応付けたＩＤ対応表を当該位置サービス提供装置に記憶させるステップと、
前記サービス利用装置が、前記位置サービス提供装置から提供された前記ビーコンＩＤを、前記ビーコンＩＤ発信装置に設定するステップと、
前記ビーコンＩＤ発信装置が、前記位置サービス利用装置に設定された前記ビーコンＩＤを発信するステップと、
を備えることを特徴とする位置情報サービス提供システムの制御方法。
【発明の詳細な説明】
【技術分野】
【０００１】
本発明の実施形態は、位置情報サービス提供システム及びその制御方法に関する。
【背景技術】
【０００２】
Ｂｌｕｅｔｏｏｔｈ（登録商標）、Ｗｉ-Ｆｉ（登録商標）、ＲＦタグなどの無線を使用し、人の位置に合わせた情報提供を行うサービスや技術が様々な利用形態で普及している。その中でも、ｉＢｅａｃｏｎ（登録商標）やＲＦタグに代表されるビーコン技術は、店舗などのスポットに設置されたビーコン発信装置からの情報を、そこに近づいた消費者が持つスマートホンなどのビーコン受信装置で読み取る構成を想定している。この構成においては、ビーコン発信装置は、その場所に対応付いた識別子を定期的に電波で発信するだけの単純な装置であり、位置の特定やその位置に関連する情報の取得はスマートホンやクラウド上のサーバなどで処理される。例えば、店舗にビーコン発信装置を設置し、当該ビーコン発信装置から発信されたビーコンを受信した利用者が当該店舗においてサービスを受けることができるサービス提供システムがある。この場合、サービスを受けたい利用者は、ビーコン受信装置を携帯しなくてはならない。
【０００３】
しかし、スマートホンをはじめとするビーコン受信装置は、一般的に、様々な機能を有する高機能な通信装置である。これらの通信装置は高価であるため、動線追跡などのように多数の利用者の位置情報を把握する必要があるサービスを提供する場合には、各々の利用者にこれらの通信装置を携帯してもらう必要があり、全体的なコストが高くなる。また、これらの高機能な通信装置は、高齢者や子供には操作が難しいことが多く、サービスを利用することのできる対象が限られる。
【０００４】
その一方で、ＲＦタグに代表されるビーコン発信装置自体は、比較的安価である。そこで、ビーコン発信装置を、人やペットに持たせたり、乗り物などの移動体に載せたりし、これらのビーコン発信装置から発信されるビーコンを受信するためのビーコン受信装置を、地域に分散させる構成をとることもできる。この場合、ＲＦタグは、ビーコン発信装置としては所持しているだけでよく、特に難しい操作が必要ではない。したがって、高齢者や子供がビーコン発信装置を携帯する場合であっても、容易に位置情報を使ったサービスを受けることができる。また、前述したようにＲＦタグは比較的安価であるため、多数の利用者の位置情報を把握する必要があるサービスであっても、低コストで実現することができる。
【先行技術文献】
【特許文献】
【０００５】
【特許文献１】特許第５３０７３０６号公報
【特許文献２】特許第４６２０４１０号公報
【発明の概要】
【発明が解決しようとする課題】
【０００６】
しかしながら、ビーコン発信装置を利用者が携帯すると、ビーコン発信装置が発信する識別子（以下ＩＤとする。）が、特定の利用者に紐付くこととなる。また、ビーコン発信装置が発信するビーコンは、特定の者だけに受信させることはできず、第三者でも受信することが可能である。このため、第三者にＩＤと利用者の対応関係が知られてしまうと、この第三者は特定のビーコンを持つ利用者の追跡が可能となり、プライバシーの侵害につながる懸念がある。例えば、悪意を持った第三者が、ビーコン受信装置を設置すると、ビーコン発信装置を持った特定のユーザが毎日何時にそこを通るかを知ることが可能となる。
【０００７】
そこで、本発明の実施形態は、ビーコンＩＤを位置情報サービスの利用者が任意のタイミングで変更し、第三者が追跡することが困難である、セキュリティの高い、位置情報サービス提供システム及びその制御方法を提供することを目的とする。
【発明を解決するための手段】
【０００８】
本実施形態に係る位置情報サービスシステムは、
位置サービス提供装置と、位置サービス利用装置と、ビーコンＩＤ発信装置と、を備える位置情報サービス提供システムであって、
前記位置サービス利用装置は、
当該位置サービス利用装置の利用装置ＩＤを記憶する、利用装置ＩＤ記憶部と、
前記位置サービス提供装置にビーコンＩＤの生成を要求するとともに、前記位置サービス提供装置に前記利用装置ＩＤを送信し、前記位置サービス提供装置から前記ビーコンＩＤを取得する、ビーコンＩＤ要求部と、
前記位置サービス提供装置から取得した前記ビーコンＩＤを、前記ビーコンＩＤ発信装置に設定する、ビーコンＩＤ設定部と、を備え、
前記位置サービス提供装置は、
前記利用装置ＩＤと前記ビーコンＩＤとを対応付けたＩＤ対応表を記憶するＩＤ対応表記憶部と、
前記位置サービス利用装置からの要求により、前記ビーコンＩＤを生成し、受信した前記利用装置ＩＤと生成した前記ビーコンＩＤとを対応付けた前記ＩＤ対応表を前記ＩＤ対応表記憶部に記憶させ、前記ビーコンＩＤを前記位置サービス利用装置へ提供するビーコンＩＤ生成部と、を備え、
前記ビーコンＩＤ発信装置は、
前記ビーコンＩＤを記憶するビーコンＩＤ記憶部と、
前記ビーコンＩＤ記憶部に記憶されている前記ビーコンＩＤを、前記位置サービス利用装置が指定する前記ビーコンＩＤに変更する、ビーコンＩＤ変更部と、
前記ビーコンＩＤ記憶部に記憶された前記ビーコンＩＤを発信するビーコンＩＤ発信部と、を備えて構成される。
【０００９】
また、本実施形態に係る位置情報サービス提供システムの制御方法は、
位置サービス提供装置と、位置サービス利用装置と、ビーコンＩＤ発信装置とを備える位置情報サービス提供システムの制御方法であって、
前記位置サービス利用装置から前記位置サービス提供装置に、ビーコンＩＤを生成する要求と、当該位置サービス利用装置が記憶する利用装置ＩＤとを送信するステップと、
前記位置サービス提供装置が、前記位置サービス利用装置からの要求により、前記ビーコンＩＤを生成して、前記位置サービス利用装置に提供するとともに、受信した前記利用装置ＩＤと生成した前記ビーコンＩＤとを対応付けたＩＤ対応表を当該位置サービス提供装置に記憶させるステップと、
前記サービス利用装置が、前記位置サービス提供装置から提供された前記ビーコンＩＤを、前記ビーコンＩＤ発信装置に設定するステップと、
前記ビーコンＩＤ発信装置が、前記位置サービス利用装置に設定された前記ビーコンＩＤを発信するステップと、を備えて構成される。
【図面の簡単な説明】
【００１０】
【図１】図１は第１実施形態に係る位置情報サービス提供システムの構成を示すブロック図である。
【図２】図２は第１実施形態に係る位置情報サービス提供システムの処理の流れを説明するための図である。
【図３】図３は第２実施形態に係る位置情報サービス提供システムの構成を示すブロック図である。
【図４】図４は第２実施形態に係る位置情報サービス提供システムの処理の流れを説明するための図である。
【図５】図５は第２実施形態の変形例に係る位置情報サービス提供システムの処理の流れを説明するための図である。
【図６】図６は第３実施形態に係る位置情報サービス提供システムの構成を示すブロック図である。
【図７】図７は第３実施形態に係る位置情報サービス提供システムの別の例の構成を示すブロック図である。
【図８】図８は第３実施形態の変形例に係る位置情報サービス提供システムの構成を示すブロック図である。
【図９】図９は第３実施形態の変形例に係る位置情報サービス提供システムの別の例の構成を示すブロック図である。
【発明を実施するための形態】
【００１１】
以下、図面を参照して、本発明の実施形態について説明する。本実施形態は、本発明を限定するものではない。
【００１２】
（第１実施形態）
第１実施形態に係る位置情報サービス提供システムは、位置情報サービスを受けようとする者が、任意のタイミングでビーコン発信装置のビーコンＩＤを変更することにより、第三者が他人のビーコンＩＤの同一性を確認することを困難にして、位置情報サービス提供システムのセキュリティを向上したものである。より詳しくを、以下に説明する。
【００１３】
図１は、本実施形態に係る位置情報サービス提供システム１０の構成を示すブロック図である。図１に示すように本実施形態に係る位置情報サービス提供システム１０は、位置サービス提供装置２０と、位置サービス利用装置３０と、ビーコンＩＤ発信装置４０と、ビーコンＩＤ受信装置５０を備えている。
【００１４】
位置サービス提供装置２０は、例えばクラウド上のサーバなどであり、ビーコンＩＤの生成と位置情報サービスの提供をするものである。この位置サービス提供装置２０は、ビーコンＩＤ生成部２１と、ＩＤ対応表記憶部２２と、受信装置位置記憶部２３と、通知受信部２４と、位置サービス提供部２５を備えて構成されている。
【００１５】
ビーコンＩＤ生成部２１は、位置サービス利用装置３０からの要求に従いビーコンＩＤの生成と生成したビーコンＩＤを位置サービス利用装置３０へ提供し、受信した利用装置ＩＤと生成したビーコンＩＤとを対応付けたＩＤ対応表をＩＤ対応表記憶部２２に記憶させる。ＩＤ対応表記憶部２２は、生成したビーコンＩＤと受信した位置サービス利用装置３０の利用装置ＩＤとを対応付けたＩＤ対応表を記憶する。同様に、受信装置位置記憶部２３は、ビーコン受信装置５０の設置されている位置とビーコン受信装置５０の受信装置ＩＤとを対応付けた情報を記憶する。通知受信部２４は、ビーコン受信装置５０がビーコンを受信したときに、ビーコン受信装置５０から通知を受信する。位置サービス提供部２５は、受信装置ＩＤに対応付けられた位置情報とビーコンＩＤに対応付けられた利用装置ＩＤから位置サービス利用装置３０へ位置情報サービスを提供する。
【００１６】
位置サービス利用装置３０は、例えばスマートホンなどの情報機器であり、ビーコンＩＤ発信装置４０がビーコンＩＤを発信した場所に応じて位置サービスの利用を受けるための装置であって、利用装置ＩＤ記憶部３１と、ビーコンＩＤ要求部３２と、ビーコンＩＤ設定部３３とを備えている。
【００１７】
利用装置ＩＤ記憶部３１は、個々の位置サービス利用装置３０に一意的に与えられた識別子である利用装置ＩＤを記憶する。ビーコンＩＤ要求部３２は、位置サービス提供装置２０にビーコンＩＤの生成と送信を要求し、位置サービス提供装置２０から送信される、生成されたビーコンＩＤを受信するものである。そして、ビーコンＩＤ設定部３３は、この受信したビーコンＩＤを、ビーコンＩＤ発信装置４０に指定し、このビーコンＩＤをビーコンＩＤ発信装置４０に設定するためのものである。
【００１８】
ビーコンＩＤ発信装置４０は、例えばＲＦタグなどのビーコンを発信するための装置であり、このビーコンＩＤ発信装置４０から発信されたビーコンＩＤが受信された場所に応じて位置サービス利用装置２０が位置情報サービスの提供を受けることができる。このビーコンＩＤ発信装置４０は、ビーコンＩＤ変更部４１と、ビーコンＩＤ記憶部４２と、ビーコンＩＤ発信部４３とを備えている。
【００１９】
ビーコンＩＤ変更部４１は、位置サービス利用装置３０からのビーコンＩＤの指定に従い、ビーコンＩＤ発信装置４０が発信するビーコンＩＤを変更するためのものである。ビーコンＩＤ発信装置４０が発信するビーコンＩＤは、ビーコンＩＤ記憶部４２に記憶され、この記憶されているビーコンＩＤがビーコンＩＤ発信部４３から発信される。
【００２０】
ビーコンＩＤ受信装置５０は、例えばＢｌｕｅｔｏｏｔｈＬＥ（登録商標）のリーダーなどビーコンを受信する装置であり、店舗やスポットに設置され、設置場所に応じたサービスを提供するためのものである。このビーコンＩＤ受信装置５０は、ビーコンＩＤ通知部５１とビーコンＩＤ受信部５２と、受信装置ＩＤ記憶部５３とを備えている。
【００２１】
ビーコンＩＤ通知部５１は、ビーコンを受信した際に位置サービス提供装置２０へこの受信したビーコンのビーコンＩＤの通知を行う部分である。ビーコンＩＤ受信部５２は、ビーコンＩＤ発信装置４０が発信するビーコンを受信するためのものである。ビーコンＩＤ受信装置５０には位置サービス利用装置３０と同様に装置ごとに一意的な識別子である受信装置ＩＤが割り振られ、この受信装置ＩＤは、受信装置ＩＤ記憶部５３に記憶されている。
【００２２】
次に、本実施形態に係る位置情報サービス提供装置の動作について、図１及び図２を用いて説明する。
【００２３】
図２は、本実施形態に係る位置情報サービス提供システム１０の処理の流れを具体的な例で示した図である。例えば、位置サービス提供装置２０としてクラウド上のサーバを使用し、位置サービス利用装置３０としてＮＦＣ（Near Field Communication）が搭載されているスマートホンを使用し、ビーコンＩＤ発信装置４０としてＮＦＣ／ＢｌｕｅｔｏｏｔｈＬＥビーコンを搭載した小型のタグを使用し、ビーコンＩＤ受信装置５０としてＢｌｕｅｔｏｏｔｈＬＥのリーダーを使用する。スマートホンとタグの通信はＮＦＣで行い、スマートホンとサーバとの通信及びリーダーとサーバとの通信はインターネット回線を通じて行い、タグとリーダーとの通信は、タグが定期的に発信するＢｌｕｅｔｏｏｔｈＬＥビーコンをリーダーが受信することにより行う。
【００２４】
全体としての大まかな流れは、次の通りである。地域の各所に設置されたビーコンＩＤ受信装置５０は、位置サービス利用装置３０によりビーコンＩＤを設定されたビーコンＩＤ発信装置４０が発信するビーコンを受信したときに、インターネットを利用して位置サービス提供装置２０と通信をし、通信を受け取った位置サービス提供装置２０が位置サービス利用装置３０にサービスの提供をする。また、スマートホンなどの位置サービス利用装置３０には専用のアプリケーションがインストールしてあり、位置情報の利用と、ビーコンＩＤ発信装置４０のビーコンＩＤの設定などが可能な状態となっている。以下、各処理について詳しく説明する。
【００２５】
まず、サービス利用者が、位置サービス利用装置３０とビーコンＩＤ発信装置４０とを、ペアリングすることにより、一連の処理を開始する（Ｓ１）。本実施形態におけるペアリングとは、位置サービス利用装置３０のＮＦＣとビーコンＩＤ発信装置４０のＮＦＣを利用し、位置サービス利用装置３０のアプリケーションを通じて位置サービス利用装置３０とビーコンＩＤ発信装置４０を通信可能状態にする動作のことをいうが、これに限られず、位置サービス利用装置３０とビーコンＩＤ発信装置４０を通信可能状態にする動作であれば、どのようなものでもよい。
【００２６】
ペアリングがされると、位置サービス利用装置３０は、ビーコンＩＤ要求部３２を介して位置サービス提供装置２０のビーコンＩＤ生成部２１に、利用装置ＩＤ記憶部３１に記憶されている位置サービス利用装置３０に固有の利用装置ＩＤを送信するとともにビーコンＩＤの生成を要求する（Ｓ２）。
【００２７】
位置サービス利用装置３０のビーコンＩＤ要求部３２から要求のあった位置サービス提供装置２０のビーコンＩＤ生成部２１は、新しいビーコンＩＤを生成し、この新しいビーコンＩＤをビーコンＩＤ生成部２１が受信した位置サービス利用装置３０の利用装置ＩＤと対応付けたＩＤ対応表をＩＤ対応表記憶部２２に記憶する（Ｓ３）。
【００２８】
ビーコンＩＤが生成され、利用装置ＩＤと対応付けられると、ビーコンＩＤ生成部２１は、位置サービス利用装置３０にこの生成したビーコンＩＤを送信する（Ｓ４）。なお、利用装置ＩＤとビーコンＩＤとの対応付けと、ビーコンＩＤの送信の順番はどちらが先に行われてもよいし、同時に並行して行われてもよい。
【００２９】
位置サービス利用装置３０がビーコンＩＤを受信すると、ビーコンＩＤ設定部３３は、受信したビーコンＩＤをビーコンＩＤ発信装置４０に送信し、ビーコンＩＤの登録をする（Ｓ５）。ビーコンＩＤを受信したビーコンＩＤ発信装置４０のビーコンＩＤ変更部４１は、ビーコンＩＤ記憶部４２に記憶されているビーコンＩＤを、この受信したビーコンＩＤへと変更する。新しいビーコンＩＤがビーコンＩＤ記憶部４２に書き込まれた後に、位置サービス利用装置３０とビーコンＩＤ発信装置４０とのペアリングは解消される。なお、ビーコンＩＤ記憶部４２にビーコンＩＤが未だ登録されていない場合には、ビーコンＩＤ変更部４１は受信したビーコンＩＤをビーコンＩＤ記憶部４２へ書き込む。
【００３０】
以上の一連の処理により、位置サービス利用装置３０とビーコンＩＤとの対応付けがされ、位置サービス提供装置２０のＩＤ対応表記憶部２２にこの対応付けがされたＩＤ対応表が記憶され、このビーコンＩＤがビーコンＩＤ発信装置４０のビーコンＩＤ記憶部４２に記憶される。
【００３１】
次に、ビーコンＩＤが設定されたビーコンＩＤ発信装置４０は、ビーコンＩＤ発信部４３を通じて、ビーコンＩＤ記憶部４２に記憶されているビーコンＩＤを所定の時間間隔で発信する。ビーコンＩＤを発信した範囲内にビーコンＩＤ受信装置５０が存在すれば、ビーコンＩＤ受信装置５０はビーコンＩＤ受信部５２を介して発信されたビーコンＩＤを受信する（Ｓ６）。
【００３２】
ビーコンＩＤを受信したビーコンＩＤ受信装置５０は、受信装置ＩＤ記憶部５３に記憶されている受信装置ＩＤと受信したビーコンＩＤとを、ともに、ビーコンＩＤ受信装置５０のビーコンＩＤ通知部５１を介して位置サービス提供装置２０の通知受信部２４へ通知する（Ｓ７）。
【００３３】
ビーコンＩＤ受信装置５０から通知のあった位置サービス提供装置２０は、通知受信部２４を通じて、ビーコンＩＤと受信装置ＩＤを受信する。ビーコンＩＤの受信があったとき、位置サービス提供部２５は、受信したビーコンＩＤをＩＤ対応表記憶部２２に記憶されているＩＤ対応表から検索し、受信したビーコンＩＤが利用装置ＩＤと対応付けられて記憶されているビーコンＩＤであるか否かを判断する。受信したビーコンＩＤが利用装置ＩＤと対応付けられている場合、位置サービス提供部２５は、受信したビーコンＩＤと対応付けられている利用装置ＩＤをＩＤ対応表記憶部２２から抽出する。これとともに、この受信した受信装置ＩＤと受信装置位置記憶部２３に記憶されているデータから、このビーコンＩＤを受信したビーコンＩＤ受信装置５０の位置情報を抽出する。そして、位置サービス提供部２５は、この抽出した利用装置ＩＤを有する位置サービス利用装置３０へ、この抽出した位置情報に従い、位置情報サービスを提供する（Ｓ８）。具体的には、位置サービス提供部２５は、抽出した位置情報を番地等のアドレス情報として提供したり、或いは、位置情報を地図情報と重ね合わせて提供したりすることができる。なお、利用装置ＩＤと位置情報の抽出をする順番は、どのような順番でもよく、ビーコンＩＤと利用装置ＩＤの対応付けを判断する際に利用装置ＩＤの抽出をしてその後に位置情報を抽出してもよいし、受信装置ＩＤから位置情報を先に抽出してもよいし、これらの両方の抽出を同時に並行して行ってもよい。
【００３４】
より具体的な例として、ビーコンＩＤ受信装置５０を公園や通学路に置くことで、外出中の子供や老人がどこにいるかを把握できるようなサービスを提供することができる。子供や老人が外出する際に、保護者の保持する位置サービス利用装置３０と子供や老人が保持するビーコンＩＤ発信装置４０をペアリングすることにより、新たなビーコンＩＤが発行され、このビーコンＩＤ発信装置４０はこの新たなビーコンＩＤを発信し続けることとなる。ビーコンＩＤ受信装置５０がこのビーコンＩＤを受信したときに、ビーコンが受信された位置を、保護者の位置サービス利用装置３０へ通知することができる。この通知により、保護者は子供が通学したか、帰宅途中であるか、又は危険地域に近づいてはいないか等を知ることができる。
【００３５】
以上のように、本実施形態に係る位置情報サービス提供システムによれば、サービス利用者が任意のタイミングで、位置サービス利用装置３０を用いてビーコンＩＤ発信装置４０が記憶するビーコンＩＤを変更することで、ビーコンＩＤ発信装置４０が発信するビーコンＩＤを容易に更新することができる。このため、ビーコンを発信するビーコンＩＤ発信装置４０が人やペット、乗り物などの移動体とともに移動し、ビーコンＩＤ発信装置４０が発信するビーコンＩＤにより各移動体の位置を特定するサービスを位置サービス利用装置３０に提供することと同時に、第三者が当該ビーコンＩＤを観測することによる移動体の追跡を困難とすることができる。
【００３６】
個人に対応付けられたビーコン発信装置４０が発信するビーコンを、第三者に読み取られないようにすることはできないが、第三者は異なるタイミングで取得したビーコンＩＤの同一性を確保することができず、個人の追跡をすることができないため、セキュリティの向上を図ることができる。また、位置サービス利用装置３０及びビーコンＩＤ発信装置４０を用いて、任意のタイミングでビーコンＩＤを変更したとしても、ビーコンＩＤと利用装置ＩＤとの対応付けは位置サービス提供装置２０のＩＤ対応表記憶部２２に記憶される。このため、ビーコンＩＤ自体は変更されるが、このビーコンＩＤの変更にも拘わらず、位置サービス利用装置３０はビーコンＩＤ発信装置４０の位置に基づいた位置情報サービスを、位置サービス提供装置３０を通じて受けることができる。
【００３７】
上記では外出の際にペアリングするとしたが、ペアリングするタイミングは任意であり、例えば、ペアリングを一日１度などとしていてもよい。また、ビーコンＩＤ受信装置５０がビーコンを受信したときにその受信位置を位置サービス利用装置３０へ通知するとしたが、任意のタイミングで位置サービス利用装置３０からビーコンが受信された位置を位置サービス提供装置２０に対して要求するようにしてもよい。さらに、位置サービス提供装置２０は位置情報と同時に受信したビーコンＩＤを位置サービス利用装置３０へ提供してもよい。この場合、位置サービス利用装置３０とビーコンＩＤ発信装置４０とのペアリングをした際に、位置サービス利用装置３０は、ビーコンＩＤ発信装置４０の発信装置ＩＤを取得し、ビーコンＩＤ要求部３２から位置サービス利用装置２０へ、利用装置ＩＤの送信と、ビーコンＩＤの生成要求とともに、発信装置ＩＤを送信する。そして、位置サービス提供装置２０に利用装置ＩＤと、ビーコンＩＤと、さらに、ビーコンＩＤ発信装置４０の発信装置ＩＤを対応付けたＩＤ対応表を記憶する。その結果、一の位置サービス利用装置３０に対して複数のビーコンＩＤ発信装置４０を対応付けできるようにすることが可能となる。
【００３８】
なお、本実施形態においては、位置サービス利用装置３０としてスマートホンを用いているが、スマートホンに限られず、インターネットにつながる有線回線や無線回線を伴った他のモジュールでも構わない。また、ビーコンＩＤ発信装置４０としても、ＮＦＣ／ＢｌｕｅｔｏｏｔｈＬＥが搭載された小型のタグである必要はなく、ビーコンが発信でき、かつ、位置サービス利用装置３０がビーコンＩＤ発信装置４０のビーコンＩＤを書き換えられる構成のものであればどのようなものでも構わない。位置サービス利用装置３０とビーコンＩＤ発信装置４０との間の通信に関しても、ＮＦＣを用いた通信に限られず、ビーコンＩＤ発信装置４０にビーコンＩＤを書き込める手段であれば、どのような通信手段であってもよい。
【００３９】
さらに、本実施形態においては、サービス利用者が位置サービス利用装置３０とビーコンＩＤ発信装置４０をペアリングしたタイミングでビーコンＩＤが更新され、ペアリングが解消されるものとしたが、ビーコンＩＤの更新手段は、この限りではない。すなわち、ペアリング後にサービス利用者の指示に基づいて、位置サービス利用装置３０のビーコンＩＤ要求部３２が位置サービス利用装置２０にビーコンＩＤ生成の要求をし、ビーコンＩＤ設定部３３を介してビーコンＩＤ発信装置４０にビーコンＩＤを登録する構成としてもよい。また、一度ペアリングをした後は、ビーコンＩＤの更新後にもペアリングが解消されずに、再度のペアリングをすることなく任意のタイミングでサービス利用者の指示に基づいて、ＮＦＣを介してビーコンＩＤを更新する構成としてもよい。このように、ビーコンＩＤの登録とペアリングのタイミングは上述した本実施形態によるものだけではなく、位置情報利用装置３０のアプリケーションの構成により様々な形態で実装することができる。
【００４０】
また、本実施形態の具体例においては位置サービスとして位置そのものを提供するものとしたが、位置サービスはこれに限られず、ビーコン受信装置５０がビーコンを受信した場所に応じて、店舗で使用できるクーポンを配布するなど、位置に応じたサービスであればどのようなサービスであってもよい。
【００４１】
（第２実施形態）
上述した第１実施形態では、位置情報サービス提供システム１０において、任意のタイミングでビーコンＩＤを変更する例について説明したが、第２実施形態においては、よりセキュリティを向上するために、ビーコンＩＤの変更時に、位置サービス提供装置２０が証明書を発行する構成を取るようにしたものである。以下、上述した第１実施形態と異なる部分を説明する。
【００４２】
図３は、本実施形態の位置情報サービス提供システム１０の構成を示すブロック図である。第１実施形態と同様に、位置情報サービス提供システム１０は、位置サービス提供装置２０と、位置サービス利用装置３０と、ビーコンＩＤ発信装置４０と、ビーコンＩＤ受信装置５０を備えている。このうち、位置サービス利用装置３０、ビーコンＩＤ発信装置４０、ビーコンＩＤ受信装置５０の構成は第１実施形態と同様である。
【００４３】
一方、位置サービス提供装置２０は、ビーコンＩＤ生成部２１と、ＩＤ対応表記憶部２２と、受信装置位置記憶部２３と、通信受信部２４と、位置サービス提供部２５とを備えていることは第１実施形態と同様であるが、さらに、ビーコンＩＤがこの位置サービス提供装置２０で生成されたことを証明するビーコンＩＤ証明書の発行をする証明書生成部２６を備えている。
【００４４】
以下、本実施形態の動作について図３及び図４を用いて説明する。図４は本実施形態に係る位置情報サービス提供システム１０の処理の流れを具体的な例で示した図である。各構成要素の具体例については、第１実施形態と同様である。
【００４５】
Ｓ２までの流れは、第１実施形態と同じ流れであり、位置サービス利用装置３０とビーコンＩＤ発信装置４０をペアリングすることにより、位置サービス利用装置３０から利用装置ＩＤの送信とビーコンＩＤ生成の要求が、ビーコンＩＤ要求部３２によって、位置サービス提供装置２０のビーコンＩＤ生成部２１に対してなされる。
【００４６】
ここで、ビーコンＩＤ生成の要求があったとき、ビーコンＩＤ生成部２１は、新しいビーコンＩＤの生成をし、ＩＤ対応表記憶部２２に、生成されたビーコンＩＤと位置サービス利用装置３０の利用装置ＩＤとを対応付けたＩＤ対応表を記憶する。これとともに、ビーコンＩＤ生成部２１から通知を受けた証明書生成部２６は、このビーコンＩＤが、信頼できる位置サービス提供装置２０で生成されたことを証明するビーコンＩＤ証明書の発行をする（Ｓ３）。なお、ビーコンＩＤとビーコンＩＤ証明書の生成の順番は、これに限られず、ビーコンＩＤが生成された後にビーコンＩＤ証明書が発行されてもよいし、ビーコンＩＤ証明書を発行した後にビーコンＩＤが生成されてもよい。
【００４７】
次に、ビーコンＩＤ生成部２１は、生成されたビーコンＩＤと発行されたビーコンＩＤ証明書とを、ともに、位置サービス利用装置３０のビーコンＩＤ要求部３２へ送信する（Ｓ４）。ビーコンＩＤ生成部２１からビーコンＩＤとビーコンＩＤ証明書を受信したときに、位置サービス利用装置３０のビーコンＩＤ設定部３３は、受信したビーコンＩＤとビーコンＩＤ証明書とをビーコン発信装置４０のビーコンＩＤ変更部４１へ送信する（Ｓ５）。
【００４８】
ビーコンＩＤとビーコンＩＤ証明書を受信したビーコンＩＤ発信装置４０のビーコンＩＤ変更部４１は、ビーコンＩＤ証明書により、ビーコンＩＤが信頼できる位置サービス提供装置２０によって生成されたビーコンＩＤであるか否かを判断する。このビーコンＩＤ証明書により信頼できる位置サービス提供装置２０が生成したビーコンＩＤであることが確認できたときに、ビーコンＩＤ記憶部４２に記憶されているビーコンＩＤをこのビーコンＩＤへ変更することにより、ビーコンＩＤ発信装置４０にビーコンＩＤの登録をする（Ｓ６）。ビーコンＩＤ証明書により信頼できる位置サービス提供装置２０によって生成されたビーコンＩＤではないと判断された場合は、ビーコンＩＤを更新せずにペアリングを解除する。この場合の処理は、この限りではなく、ビーコンＩＤ発信装置４０に登録されているビーコンＩＤを消去してしまうなどとしてもよい。なお、ビーコンＩＤ証明書の方式は、例えば公開鍵暗号を用いた第三者機関によるデジタル署名が考えられるが、この方式はこれに限られずどのような方式をとってもよい。
【００４９】
その後の動作は第１実施形態と同様であり、ビーコンＩＤ記憶部４２にビーコンＩＤが記憶されているのであれば、ビーコンＩＤ発信部４３により、この設定されたビーコンＩＤを発信することにより、位置情報サービスの提供がされる（Ｓ７乃至Ｓ９）。
【００５０】
以上のように、本実施形態に係る位置情報サービス提供システム１０によっても、ビーコン発信器４０が発信するビーコンＩＤを任意のタイミングで位置情報利用装置３０とビーコンＩＤ発信装置４０をペアリングすることにより、容易に更新できる。
【００５１】
さらに、本実施形態に係る位置情報サービス提供システム１０によれば、ビーコンＩＤ発信装置４０が、ビーコンＩＤを変更する際に、信頼できる位置サービス提供装置２０が生成したビーコンＩＤであるか否かをビーコンＩＤ証明書により確認するため、より安全にビーコンＩＤの更新をすることができる。すなわち、悪意を持った第三者がビーコンＩＤ発信装置４０のビーコンＩＤの変更をしようとしても、ビーコンＩＤ証明書による認証がされないため、ビーコンＩＤの変更をすることが困難となる。
【００５２】
（第２実施形態の変形例）
図５は本実施形態に係る変形例の一つを示したものである。この図５は、ビーコンＩＤ証明書による認証を、ビーコンＩＤ発信装置４０ではなく、位置サービス利用装置３０で行うようにしたものである。以下、本変形例の動作を図３及び図５を用いて説明する。
【００５３】
Ｓ４までの流れは、第２実施形態と同様である。Ｓ４の次に、新しいビーコンＩＤとビーコンＩＤ証明書を受信した位置サービス利用装置３０は、ビーコンＩＤ設定部３３において、このビーコンＩＤ証明書が信頼できる位置サービス提供装置２０から発行されたものか否かを判断する（Ｓ５）。信頼できる位置サービス提供装置２０から発行されたビーコンＩＤ証明書であると確認できたとき、ビーコンＩＤ設定部３３は、ビーコンＩＤ発信装置４０のビーコンＩＤ変更部４１を介して、ビーコンＩＤ発信装置４０のビーコンＩＤの設定をする（Ｓ６）。信頼できる位置サービス提供装置２０が発行したビーコンＩＤ証明書と判断できなかった場合には、ビーコンＩＤ設定部３３は、ビーコンＩＤ発信装置４０のビーコンＩＤにこのビーコンＩＤの設定をしない。以降の流れは、第１実施形態と同様である（Ｓ７乃至Ｓ９）。
【００５４】
以上のように、本実施形態の変形例に係る位置情報サービス提供システム１０によっても、ビーコン発信器４０が発信するビーコンＩＤを任意のタイミングで位置サービス利用装置３０とビーコンＩＤ発信装置４０をペアリングすることにより、容易に更新できる。また、ビーコンＩＤ発信装置４０が、ビーコンＩＤを登録する際に、信頼できる位置サービス提供装置２０が発行したビーコンＩＤであるか否かをビーコンＩＤ証明書により確認するため、より安全にビーコンＩＤの更新をすることができる。
【００５５】
さらに、本実施形態の変形例に係る位置情報サービス提供システム１０によれば、ビーコンＩＤ発信装置４０ではなく、位置サービス利用装置３０においてビーコンＩＤ証明書の認証を行うので、インターネット等を通じてより高度な認証をすることが可能となる。また、ビーコンＩＤ発信装置４０に認証用の構成が必要ではなくなるため、ビーコンＩＤ発信装置４０の構成を、第２実施形態に係る位置情報サービス提供システム１０におけるビーコンＩＤ発信装置４０の構成よりも、簡易なものとすることができる。
【００５６】
なお、第２実施形態に係る認証と第２実施形態の変形例に係る認証とを併せて行ってもよく、この場合、さらにセキュリティの高いビーコンＩＤの更新をすることが可能となる。すなわち、位置サービス利用装置３０においてインターネット等を通じて高度な認証を得られるとともに、ビーコンＩＤ発信装置４０において第三者によるビーコンＩＤ発信装置４０のビーコンＩＤ書き換えを困難にすることが可能となる。
【００５７】
（第３実施形態）
上述した第１実施形態では、位置情報サービス提供システム１０において、サービス利用者が任意のタイミングでビーコンＩＤを変更することによりセキュリティを向上させる構成の例について説明したが、第３実施形態においては、よりセキュリティを向上するために、ビーコンＩＤを所定の時間で無効にし、時限付のサービスを実現する構成を取るようにしたものである。以下、上述した実施形態とは異なる部分を説明する。
【００５８】
図６は、第１実施形態に係る位置情報サービス提供システム１０に、時限付のサービスを実現するための構成を加えたものである。図６に示すように、位置情報サービス提供システム１０は、上述した実施形態と同様に、位置サービス提供装置２０と、位置サービス利用装置３０と、ビーコンＩＤ発信装置４０と、ビーコンＩＤ受信装置５０と、を備えている。位置サービス利用装置３０、ビーコンＩＤ発信装置４０、ビーコンＩＤ受信装置５０の構成も、上述した実施形態と同様である。
【００５９】
一方で、位置サービス提供装置２０は、ビーコンＩＤと利用端末ＩＤの対応付けが記憶された後、所定の時間が過ぎると、ＩＤ対応表記憶部２２に記憶されているこのビーコンＩＤとこの利用端末ＩＤの対応付けをしているＩＤ対応表を破棄するＩＤ対応表破棄部２７をさらに備えている。
【００６０】
以下、本実施形態の動作について説明する。位置サービス提供装置２０において生成されたビーコンＩＤが利用装置ＩＤと対応付けされ、この対応付けがされたＩＤ対応表が位置サービス提供装置２０内のＩＤ対応表記憶部２２に記憶され、このビーコンＩＤをビーコンＩＤ発信装置４０が発信することにより、位置サービス利用装置２０が位置サービスの提供を受けることができるのは前述した各実施例と同様である。
【００６１】
ここで、新しいビーコンＩＤが生成されて利用装置ＩＤと対応付けされたＩＤ対応表がＩＤ対応表記憶部２２に記憶されてから所定の時間が経過すると、ＩＤ対応表破棄部２７は、ＩＤ対応表記憶部２２に記録されている、このＩＤ対応表を破棄し、このビーコンＩＤとこの利用装置ＩＤの対応付けを消去する。このＩＤ対応表が破棄されると、この対応付けは無効となり、このビーコンＩＤをビーコンＩＤ受信装置５０が受信しても、位置サービス提供装置２０のＩＤ対応表記憶部２２に記憶されていないビーコンＩＤのデータであるので、位置サービス利用装置３０はこのビーコンＩＤにおいては位置サービスを受けることが不可能となる。
【００６２】
なお、所定の時間は、サービス利用者が位置サービス利用装置３０を通じて位置サービス提供装置２０に設定する形式とすることもできるし、サービス提供者側で位置サービス提供装置２０に設定する形式とすることもできる。サービス利用者が設定する場合、ビーコンＩＤ要求部３２がビーコンＩＤをビーコンＩＤ生成部２１に要求する際に所定の時間も送信し、ビーコンＩＤ生成部２１がＩＤ対応表破棄部２７に所定の時間の設定をする構成としてもよいし、予め設定されている所定の時間を後から再設定できるようにできる構成でもよい。サービス提供者側が設定する場合には、予め決められた時間を指定しておき、ビーコンＩＤが生成された時刻から予め決められた時間が経過する時にビーコンＩＤと利用装置ＩＤの対応付けが消滅するようにしてもよい。また、最初にビーコンＩＤが生成されてから所定の時間としてもよく、この場合は所定の時間の間に何度更新しても最初にビーコンＩＤを生成してからの時間で対応付けデータが消去される。時間の指定方法には、これら以外にも様々な方式が考えられるが、これらに限られず所定の時間が定められていればよい。
【００６３】
以上のように、本実施形態に係る位置情報サービス提供システム１０によっても、ビーコン発信器４０が発信するビーコンＩＤを任意のタイミングで位置サービス提供装置２０と、位置サービス利用装置３０と、ビーコンＩＤ発信装置４０により、容易に更新できる。
【００６４】
さらに、本実施形態によれば、ビーコンＩＤが生成されたのち、所定の時間を経過するとこのビーコンＩＤと利用装置ＩＤとが対応付けされたＩＤ対応表がＩＤ対応表記憶部２２から消去されるので、位置サービスを提供するにあたり、時限付のサービスを提供することができる。例えば、施設の管理者が所定の時間の間だけその施設の出入りをできるような鍵を簡単に作成することが可能となる。この場合、所定の時間だけ出入りを許可するという点でも効果が望めるが、さらに、鍵を紛失した際にも、所定の時間が過ぎていればその鍵を獲得した部外者が施設に入ろうとすることを拒むこともできる。
【００６５】
なお、本実施形態においては、ビーコンＩＤ証明書がない場合について説明をしたが、図７に示すとおり、上述した第２実施形態のように、位置サービス提供装置２０に証明書生成部２６を設けることにより、ビーコンＩＤ証明書の機能をさらに追加することも可能である。
【００６６】
（第３実施形態の変形例）
第３実施形態に係る位置情報サービス提供システム１０によれば、時限付の位置情報サービスの提供と利用をすることが可能となる。本実施形態の変形例に係る位置情報サービス提供システム１０は、このビーコンＩＤと利用装置ＩＤの対応付けが消滅する時間を位置サービス利用者に知らせることが可能な位置サービス利用装置３０の構成に係るものである。以下、前述した各実施形態と異なる部分について詳しく説明する。
【００６７】
図８は本変形例に係る位置情報サービス提供システム１０の構成を示すブロック図である。この図８に示されているとおり、本変形例に係る位置情報サービス提供システム１０は、位置サービス提供装置２０と、位置サービス利用装置３０と、ビーコンＩＤ発信装置４０と、ビーコンＩＤ受信装置５０を備える点においては前述した第３実施形態と同様である。また、位置サービス提供装置２０と、ビーコンＩＤ発信装置４０と、ビーコンＩＤ受信装置５０の構成に関しても第３実施形態と同様の構成である。
【００６８】
一方で、位置サービス利用装置３０は、利用装置ＩＤ記憶部３１と、ビーコンＩＤ要求部３２と、ビーコンＩＤ設定部３３とを備えることについては共通しているが、本変形例においては、さらにビーコンＩＤ無効判断部３４を設けている。
【００６９】
位置サービス利用装置３０内のビーコンＩＤ無効判断部３４は、位置サービス提供装置２０のＩＤ対応表記憶部２２に記憶されている対応付けが消去されたことを所定の時間から判断し、サービス利用者に通知をする。なお、ビーコンＩＤが無効となったことを判断する際に、位置サービス提供装置２０のＩＤ対応表破棄部２７から通知があった上で判断してもよいし、位置サービス提供装置２０からの通知を受けることなく判断してもよい。
【００７０】
判断する基準となる時間に関しては、位置サービス利用装置３０側でビーコンＩＤを無効とする時刻を定めた場合はその時間にしたがってビーコンＩＤ無効判断部３４は位置サービス利用者にビーコンＩＤが無効になった旨の通知をする。位置サービス提供装置２０側で所定の時間が指定された際には、例えば、生成されたビーコンＩＤがビーコンＩＤ生成部２１から送信される際に同時に対応付けが消去される時刻が位置サービス利用装置３０のビーコンＩＤ要求部３２に通知され、ビーコンＩＤ要求部３２がビーコンＩＤ無効判断部３４にこの指定時刻を設定する。なお、この手段に限られず、予め決められた時刻を設定するなど、他の手段でも構わない。また、位置サービス利用者への通知はその時刻に限られず、たとえば１０分前などにアラートを出すようにしてもよい。
【００７１】
ただし、位置サービス利用装置３０におけるビーコンＩＤ無効判断部３４は、あくまで位置サービス利用者に、利用装置ＩＤとビーコンＩＤの対応付けが解消されたことを通知する判断を行う判断部であるので、この通知がされたことにより利用装置ＩＤとビーコンＩＤの対応付けが解消されるものではない。すなわち、位置サービス利用装置３０のビーコンＩＤ無効判断部３４が、ビーコン発信装置４０のビーコンＩＤ記憶部４２に記憶されているビーコンＩＤを消去したり、無効としたりするものではない。
【００７２】
本実施形態の変形例によれば、時限付サービスを使用する際の位置サービス利用者の利便性を向上することができる。例えば、保護者が毎朝子供の出かける時刻前に、ビーコンＩＤが無効になるように設定しておけば、毎朝その時刻にビーコンＩＤとの対応付けが無効になった旨の通知がされるので、子供の持つビーコンＩＤ発信装置４０のビーコンＩＤの更新を忘れずにすることができる、といった用途もある。
【００７３】
なお、本変形例においては、ビーコンＩＤ証明書がない場合について説明をしたが、図９に示すとおり、上述した第２実施形態のように、位置サービス提供装置２０に証明書生成部２６を設けることにより、ビーコンＩＤ証明書の機能をさらに追加することも可能である。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行うことができる。これら実施形態やその変形は、発明の範囲や要旨に含まれるとともに、特許請求の範囲に記載された発明とその均等の範囲に含まれる。また、当然のことながら、本発明の要旨の範囲内で、これらの実施の形態を部分的に適宜組み合わせることも可能である。
【符号の説明】
【００７５】
１０：位置情報サービス提供システム、２０：位置サービス提供装置、２１：ビーコンＩＤ生成部、２２：ＩＤ対応表記憶部、２３：受信装置位置記憶部、２４：通知受信部、２５：位置サービス提供部、２６：証明書生成部、２７：ＩＤ対応表破棄部、３０：位置サービス利用装置、３１：利用装置ＩＤ記憶部、３２：ビーコンＩＤ要求部、３３：ビーコンＩＤ設定部、３４：ビーコンＩＤ無効判断部、４０：ビーコンＩＤ発信装置、４１：ビーコンＩＤ変更部、４２：ビーコンＩＤ記憶部、４３：ビーコンＩＤ発信部、５０：ビーコンＩＤ受信装置、５１：ビーコンＩＤ通知部、５２：ビーコンＩＤ受信部、５３：受信装置ＩＤ記憶部
【図１】
2017017550.tif 000003
【図２】
2017017550.tif 000004
【図３】
2017017550.tif 000005
【図４】
2017017550.tif 000006
【図５】
2017017550.tif 000007
【図６】
2017017550.tif 000008
【図７】
2017017550.tif 000009
【図８】
2017017550.tif 000010
【図９】
2017017550.tif 000011